(57)【要約】【課題】  白の異なる画像出力装置のカラーマッチングを行い、ターゲットとマッチング結果を隣り合わせで観察した際に、好適なマッチングとなるデバイスプロファイル作成装置及びその方法を提供する。【解決手段】  カラーマッチングの再現元画像出力装置及び再現先画像出力装置の絶対的色特性情報を取得する手段と、再現元画像出力装置及び再現先画像出力装置それぞれにおいて絶対的色特性情報から相対的色特性情報を算出する手段と、再現元画像出力装置及び再現先画像出力装置それぞれにおいて絶対的色特性情報及び相対的色特性情報から色変換用色特性情報を算出する手段と、色変換用色特性情報を用いてデバイスプロファイルを作成する手段と、色変換を行う画像を入力する手段と、再現元画像出力装置及び再現先画像出力装置それぞれのデバイスプロファイルを使って、画像データの色変換を行う手段を含む色変換装置を提供する。【選択図】    図１
2005079620.tif 000002
【特許請求の範囲】
【請求項１】
画像出力装置のデバイスプロファイルを作成するデバイスプロファイル作成装置において、
画像出力装置の、任意の色空間における絶対的な色の特性を表す絶対的色特性情報を取得する絶対的色特性情報取得手段と、
前記絶対的色特性情報取得手段によって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出手段と、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した画像出力装置の色変換用色特性情報を用いてデバイスプロファイルを作成するデバイスプロファイル作成手段と、
を含むデバイスプロファイル作成装置。
【請求項２】
第１の画像出力装置の色から第２の画像出力装置の色へ変換を行うためのデバイスリンクプロファイルを作成するデバイスリンクプロファイル作成装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した第１及び第２の画像出力装置の色変換用色特性情報を用いて、デバイスリンクプロファイルを作成するデバイスリンクプロファイル作成手段と、
を含むデバイスリンクプロファイル作成装置。
【請求項３】
画像データの第１の画像出力装置において出力される色を、第２の画像出力装置において再現するよう画像データの色変換を行う色変換装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
画像データの入力を行うデータ入力手段と、
前記色変換用色特性情報算出手段によって算出した第１及び第２の画像出力装置の色変換用色特性情報を用いて、該画像データの色変換を行う色変換手段と、
を含む色変換装置。
【請求項４】
第１の画像出力装置において出力される画像データの色を、第２の画像出力装置において再現するよう画像データの色変換を行う色変換装置において、
画像データの入力を行うデータ入力手段と、
第１及び第２の画像出力装置のデバイスプロファイルを用いて色変換する色変換手段と、
を含み、前記色変換手段に使われるデバイスプロファイルが、請求項１のデバイスプロファイル作成装置で作成されたデバイスプロファイルである色変換装置。
【請求項５】
第１の画像出力装置において出力される画像データの色を、第２の画像出力装置において再現するよう画像データの色変換を行う色変換装置において、
画像データの入力を行うデータ入力手段と、
第１の画像出力装置の色から第２の画像出力装置の色へ変換を行うためのデバイスリンクプロファイルを用いて色変換する色変換手段と、
を含み、前記色変換手段に使われるデバイスリンクプロファイルが、請求項２のデバイスリンクプロファイル作成装置で作成されたデバイスリンクプロファイルである色変換装置。
【請求項６】
画像出力装置のデバイスプロファイルを作成するデバイスプロファイル作成方法であって、
画像出力装置の、任意の色空間における絶対的な色の特性を表す絶対的色特性情報を取得する絶対的色特性情報取得ステップと、
前記絶対的色特性情報取得ステップによって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出ステップと、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出手段によって算出した画像出力装置の色変換用色特性情報を用いてデバイスプロファイルを作成するデバイスプロファイル作成ステップと、
を含むデバイスプロファイル作成方法。
【請求項７】
第１の画像出力装置の色から第２の画像出力装置の色へ変換を行うためのデバイスリンクプロファイルを作成するデバイスリンクプロファイル作成方法であって、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出ステップによって算出した第１及び第２の画像出力装置の色変換用色特性情報を用いて、デバイスリンクプロファイルを作成するデバイスリンクプロファイル作成ステップと、
を含むデバイスリンクプロファイル作成方法。
【請求項８】
画像データの第１の画像出力装置において出力される色を、第２の画像出力装置において再現するよう画像データの色変換を行う色変換方法において、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
画像データの入力を行うデータ入力ステップと、
前記色変換用色特性情報算出ステップによって算出した第１及び第２の画像出力装置の色変換用色特性情報を用いて、該画像データの色変換を行う色変換ステップと、
を含む色変換方法。
【請求項９】
第１の画像出力装置において出力される画像データの色を、第２の画像出力装置において再現するよう画像データの色変換を行う色変換方法において、
画像データの入力を行うデータ入力ステップと、
第１及び第２の画像出力装置のデバイスプロファイルを用いて色変換する色変換ステップと、
を含み、前記色変換ステップに使われるデバイスプロファイルが、請求項６のデバイスプロファイル作成方法で作成されたデバイスプロファイルである色変換方法。
【請求項１０】
第１の画像出力装置において出力される画像データの色を、第２の画像出力装置において再現するよう画像データの色変換を行う色変換方法において、
画像データの入力を行うデータ入力ステップと、
第１の画像出力装置の色から第２の画像出力装置の色へ変換を行うためのデバイスリンクプロファイルを用いて色変換する色変換ステップと、
を含み、前記色変換ステップに使われるデバイスリンクプロファイルが、請求項７のデバイスリンクプロファイル作成方法で作成されたデバイスリンクプロファイルである色変換方法。
【発明の詳細な説明】
【技術分野】
【０００１】
本発明は、白の異なる画像出力装置のカラーマッチングを行い、その結果を隣り合わせで観察した際に好適なマッチングを実現するデバイスプロファイル作成装置及び作成方法、また、デバイスリンクプロファイル作成装置及び作成方法、並びに色変換装置及び色変換方法に関する。
【背景技術】
【０００２】
異なる画像出力装置のカラーマッチングを行う際は、通常、ＸＹＺ等の色彩値でマッチング行う。通常測色器を用いて得られる色彩値は、Ｄ５０等の基準照明下における完全拡散板を測定した際の色彩値（基準照明Ｄ５０の場合（X,Y,Z）＝（96.42,100.0,82.49））を白とし、その白に対する相対的な値として算出される。ＣＩＥ（Commission International De L'eclairage）では測光量を表す値を「絶対的」、完全拡散板に対し相対的な値は「相対的」であると定義している。一方、今日のカラーマネジメントにおけるデファクトスタンダードであるＩＣＣプロファイルフォーマット（International Color Consortiumで提唱されたフォーマット仕様）では、完全拡散板に対し相対的な値は画像出力装置の白に対しては絶対的な値となることから「絶対的」、画像出力装置の白に対して相対的な値が「相対的」であると定義している。以降、本特許ではＩＣＣの定義に従い、測色器から得られた完全拡散板の白に対する相対的な色彩値を絶対的色彩値と呼ぶ。
【０００３】
この絶対的色彩値を用いて再現元である画像出力装置の色を再現先である画像出力装置の色へ変換するカラーマッチングを行うと、再現元画像出力装置の白の色味が再現先画像出力装置に再現される。すなわち、再現元画像出力装置の白の絶対的色彩値が再現先画像出力装置の色域内に存在する場合、再現先画像出力装置の白に色を加えて再現元画像出力装置の白が再現される。以降、この絶対的色彩値を用いた色変換を絶対的色変換と呼ぶ。
【０００４】
ＩＣＣプロファイルでは、絶対的色彩値を更に画像出力装置の白に対して相対的な色彩値に変換してデバイスプロファイルのテーブルで使用する。この値を用いることにより、色変換に置いて異なる画像出力装置の白は同じ色彩値（基準照明Ｄ５０の場合（X,Y,Z）＝（96.42,100.0,82.49））を持つこととなる。
【０００５】
以降本発明ではＩＣＣの定義に従い、画像出力装置の白の色彩値に対して相対的な色彩値を相対的色彩値と呼ぶ。この相対的色彩値を用いて再現元画像出力装置の色を再現先画像出力装置の色へ変換するカラーマッチングを行う場合、再現元画像出力装置の白は再現先画像出力装置の白として再現される。以降、この相対的色彩値を用いた色変換を相対的色変換と呼ぶ。
【０００６】
しかし、これらの方法で白の異なる画像出力装置のカラーマッチングを行うと、再現元画像出力装置で出力されるカラーマッチングのターゲット（以降ターゲット）と、再現先画像出力装置で出力されるカラーマッチングの結果（以降マッチング結果）を隣り合わせで観察した際に問題が生じる。相対的色変換でカラーマッチングを行うと、白の色みに差がある場合、マッチング結果がターゲットに対し全体的に再現先画像出力装置の白の色みに偏った再現となるため、ターゲットとマッチング結果を隣り合わせで観察すると色が合って見えないという問題が生じる。
【０００７】
一方、絶対的色変換でカラーマッチングを行うと、隣り合わせで観察すると全体の色は合って見えるものの、マッチング結果の白に色が付いているため、出力方式によっては粒状感等の問題で見た目で満足できない結果となる場合がある。また、再現先画像出力装置の白が再現元画像出力装置の白よりも暗い等、再現元画像出力装置の白が再現先画像出力装置の色域内に包括されていない場合、マッチング結果の白付近で潰れが発生する、又は異なった色に変換されるという問題が生じる。
【０００８】
以上のような現象の代表的な事例として、印刷用紙の違いが元で再現される色が変化してしまうといったことが挙げられる。これに対して、その計測された用紙間の色差に応じた色補正を行う技術が開示されている。（例えば、特許文献１を参照）。この技術では、紙白を活かすことができるが、全ての画素について同じ差の補正を行っているため、画像によっては色味の合わないところが出たり、潰れやトーンジャンプが発生してしまう場合があった。
【特許文献１】特開平１０−３４１３４８号公報
【発明の開示】
【発明が解決しようとする課題】
【０００９】
本発明は、前記従来技術の問題点を解決するために成されたもので、白の異なる画像出力装置のカラーマッチングを行いターゲットとマッチング結果を隣り合わせで観察した際に好適なマッチングとなるデバイスプロファイル作成装置及び作成方法、デバイスリンクプロファイル作成装置及び作成方法、色変換装置及び色変換方法を提供することである。
【課題を解決するための手段】
【００１０】
本発明は上記課題を実現するためになされたものであって、請求項１記載の発明は、
画像出力装置のデバイスプロファイルを作成するデバイスプロファイル作成装置において、
画像出力装置の、任意の色空間における絶対的な色の特性を表す絶対的色特性情報を取得する絶対的色特性情報取得手段と、
前記絶対的色特性情報取得手段によって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出手段と、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した画像出力装置の色変換用色特性情報を用いてデバイスプロファイルを作成するデバイスプロファイル作成手段と、
を含むデバイスプロファイル作成装置である。
【００１１】
また、請求項２記載の発明は、第１の画像出力装置の色から第２の画像出力装置の色へ変換を行うためのデバイスリンクプロファイルを作成するデバイスリンクプロファイル作成装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した第１及び第２の画像出力装置の色変換用色特性情報を用いて、デバイスリンクプロファイルを作成するデバイスリンクプロファイル作成手段と、
を含むデバイスリンクプロファイル作成装置である。
【００１２】
また、請求項３記載の発明は、画像データの第１の画像出力装置において出力される色を、第２の画像出力装置において再現するよう画像データの色変換を行う色変換装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
画像データの入力を行うデータ入力手段と、
前記色変換用色特性情報算出手段によって算出した第１及び第２の画像出力装置の色変換用色特性情報を用いて、該画像データの色変換を行う色変換手段と、
を含む色変換装置である。
【００１３】
また、請求項４記載の発明は、第１の画像出力装置において出力される画像データの色を、第２の画像出力装置において再現するよう画像データの色変換を行う色変換装置において、
画像データの入力を行うデータ入力手段と、
第１及び第２の画像出力装置のデバイスプロファイルを用いて色変換する色変換手段と、
を含み、前記色変換手段に使われるデバイスプロファイルが、請求項１のデバイスプロファイル作成装置で作成されたデバイスプロファイルである色変換装置である。
【００１４】
また、請求項５記載の発明は、第１の画像出力装置において出力される画像データの色を、第２の画像出力装置において再現するよう画像データの色変換を行う色変換装置において、
画像データの入力を行うデータ入力手段と、
第１の画像出力装置の色から第２の画像出力装置の色へ変換を行うためのデバイスリンクプロファイルを用いて色変換する色変換手段と、
を含み、前記色変換手段に使われるデバイスリンクプロファイルが、請求項２のデバイスリンクプロファイル作成装置で作成されたデバイスリンクプロファイルである色変換装置である。
【００１５】
また、請求項６記載の発明は、画像出力装置のデバイスプロファイルを作成するデバイスプロファイル作成方法であって、
画像出力装置の、任意の色空間における絶対的な色の特性を表す絶対的色特性情報を取得する絶対的色特性情報取得ステップと、
前記絶対的色特性情報取得ステップによって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出ステップと、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出手段によって算出した画像出力装置の色変換用色特性情報を用いてデバイスプロファイルを作成するデバイスプロファイル作成ステップと、
を含むデバイスプロファイル作成方法である。
【００１６】
また、請求項７記載の発明は、第１の画像出力装置の色から第２の画像出力装置の色へ変換を行うためのデバイスリンクプロファイルを作成するデバイスリンクプロファイル作成方法であって、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出ステップによって算出した第１及び第２の画像出力装置の色変換用色特性情報を用いて、デバイスリンクプロファイルを作成するデバイスリンクプロファイル作成ステップと、
を含むデバイスリンクプロファイル作成方法である。
【００１７】
また、請求項８記載の発明は、画像データの第１の画像出力装置において出力される色を、第２の画像出力装置において再現するよう画像データの色変換を行う色変換方法において、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
画像データの入力を行うデータ入力ステップと、
前記色変換用色特性情報算出ステップによって算出した第１及び第２の画像出力装置の色変換用色特性情報を用いて、該画像データの色変換を行う色変換ステップと、
を含む色変換方法である。
【００１８】
また、請求項９記載の発明は、第１の画像出力装置において出力される画像データの色を、第２の画像出力装置において再現するよう画像データの色変換を行う色変換方法において、
画像データの入力を行うデータ入力ステップと、
第１及び第２の画像出力装置のデバイスプロファイルを用いて色変換する色変換ステップと、
を含み、前記色変換ステップに使われるデバイスプロファイルが、請求項６のデバイスプロファイル作成方法で作成されたデバイスプロファイルである色変換方法である。
【００１９】
また、請求項１０記載の発明は、第１の画像出力装置において出力される画像データの色を、第２の画像出力装置において再現するよう画像データの色変換を行う色変換方法において、
画像データの入力を行うデータ入力ステップと、
第１の画像出力装置の色から第２の画像出力装置の色へ変換を行うためのデバイスリンクプロファイルを用いて色変換する色変換ステップと、
を含み、前記色変換ステップに使われるデバイスリンクプロファイルが、請求項７のデバイスリンクプロファイル作成方法で作成されたデバイスリンクプロファイルである色変換方法である。
【発明の効果】
【００２０】
本発明によれば、色変換に用いる色変換用色特性情報を算出する際に、基準となる色の相対的色特性情報と他の色の相対的色特性情報との違いが小さいほど相対的色特性情報の重みを大きくし、違いが大きいほど絶対的色特性情報の重みを大きくしているため、白の異なる画像出力装置のカラーマッチングを行いターゲットとマッチング結果を隣り合わせで観察した際に、白を活かしながらも、画像の色の見えも合い、トーンジャンプも発生しないといった好適なマッチングとなるデバイスプロファイル作成装置及び作成方法、デバイスリンクプロファイル作成装置及び作成方法、色変換装置及び色変換方法を提供できる。
【発明を実施するための最良の形態】
【００２１】
以下に、本発明の代表的な一実施形態を挙げ、また図面を用いることにより、本発明をより詳細に説明する。図１は本発明の色変換装置の一実施形態を表す機能ブロック図である。
【００２２】
絶対的色特性情報取得手段１によってカラーマッチングの再現元となる画像出力装置及び再現先となる画像出力装置の絶対的色特性情報を取得する。相対的色特性情報算出手段２によって再現元画像出力装置及び再現先画像出力装置それぞれにおいて絶対的色特性情報から相対的色特性情報を算出する。色変換用色特性情報算出手段３によって再現元画像出力装置及び再現先画像出力装置それぞれにおいて絶対的色特性情報及び相対的色特性情報から色変換用色特性情報を算出する。デバイスプロファイル作成手段４によって色変換用色特性情報を用いてデバイスプロファイルを作成する。データ入力手段５によって色変換を行う画像を入力する。色変換手段６によって、再現元画像出力装置及び再現先画像出力装置それぞれのデバイスプロファイルを使って、画像データの色変換を行う。
【００２３】
ここではデバイスプロファイルを用いた色変換装置について述べたが、デバイス間専用のプロファイルであるデバイスリンクプロファイルについては、図２に示すような機能ブロック図となる。
【００２４】
また、以上のようなプロファイルを作らずに、色変換用色特性情報を色変換する毎に作成することも可能である。
【００２５】
図２は本発明の色変換装置の一実施形態を示す構成概略図である。本実施形態の色変換装置は、絶対的色特性情報取得手段、相対的色特性情報算出手段、色変換用色特性情報算出手段、デバイスプロファイル作成手段、色変換手段を有する色変換部１１と、カラーマッチングの再現元となる画像出力装置であるプリンタＡ１２と、カラーマッチングの再現先となる画像出力装置であるプリンタＢ１３と、プリンタＡ１２及びプリンタＢ１３より出力されたチャートを測色する測色部１４と、画像データが入力されるデータ入力部１５から構成される。
【００２６】
ここで、デバイスプロファイルやデバイスリンクプロファイルを外部から取得する場合は、色変換部１１とデータ入力部１５のみの構成も可能である。
【００２７】
次に本実施形態の処理を図３のフローに基づいて説明する。
【００２８】
手順１）画像出力装置の絶対的色特性情報の取得（フローチャートのＳ１〜Ｓ２）
プリンタＡ及びプリンタＢより、デバイスの色特性情報を取得するためにIT8/7.3チャート（ISO12642）を出力する。次に、プリンタＡ及びプリンタＢで出力したIT8/7.3チャートを測色装置で測定し、プリンタＡの色特性を表す絶対的なＸＹＺ（以降、XYZ#abs#A）及びプリンタＢの色特性を表す絶対的なＸＹＺ（以降、XYZ#abs#B）を求める。
【００２９】
手順２）絶対的色特性情報を相対的色特性情報へ変換（フローチャートのＳ３）
プリンタＢの紙白を表す絶対的なＸＹＺ（XYZ#abs#B#white）を基準となる色として、XYZ#abs#Aを（１）式に従い基準となる色に対して相対的な色特性情報（以降、XYZ#rel#A）に変換する。
【００３０】
【数１】
2005079620.tif 000003
ここで、
XYZ#rel#A＝（X#rA、Y#rA、Z#rA）・・・プリンタＡの相対的色特性情報
XYZ#abs#A＝（X#aA、Y#aA、Z#aA）・・・プリンタＡの絶対的色特性情報
XYZ#abs#A#white＝（X#aAw、Y#aAw、Z#aAw）・・・プリンタＡの紙白の絶対的色彩値
XYZ#abs#B#white＝（X#aBw、Y#aBw、Z#aBw）・・・基準となる色（プリンタＢの紙白の絶対的色彩値）
プリンタＢの相対的色特性情報は、基準となる色が紙白の絶対的色彩値と等しいため、（２）式に示すように絶対的色特性情報と等しくなる。
【００３１】
【数２】
2005079620.tif 000004
ここで、
XYZ#rel#B＝（X#rB、Y#rB、Z#rB）・・・プリンタＡの相対的色特性情報
XYZ#abs#B＝（X#aB、Y#aB、Z#aB）・・・プリンタＡの絶対的色特性情報
手順３）XYZからL*a*b*への変換（フローチャートのＳ４）
XYZ#abs#Aを、完全拡散板を測定した際の色彩値を（L*,a*,b*）＝（100,0,0）としたL*a*b*（以降、Lab#abs#A）に変換する。また、XYZ#rel#Aを、完全拡散板を測定した際の色彩値を（L*,a*,b*）＝（100,0,0）としたL*a*b*（以降、Lab#rel#A）に変換する。また、XYZ#rel#Bを、完全拡散板を測定した際の色彩値を（L*,a*,b*）＝（100,0,0）としたL*a*b*（以降、Lab#rel#B）に変換する。
【００３２】
手順４）色変換用特性情報の算出（フローチャートのＳ５）
手順４−１）プリンタＡの色変換用特性情報の算出
プリンタＡの紙白の絶対的ＸＹＺと基準となる色の絶対的ＸＹＺ（プリンタＢの紙白の絶対的ＸＹＺ）から、完全拡散板を測定した際のL*a*b*を（L*,a*,b*）＝（100,0,0）としたプリンタＡの紙白のL*a*b*（以降、Lab#abs#A#white）と基準となる色、すなわちプリンタＢの紙白のL*a*b*（以降、Lab#abs#B#white）の色差Ｅを（３）式に従い求める。
【００３３】
【数３】
2005079620.tif 000005
ここで、
Lab#abs#A#white＝（L#aAw、a#aAw、b#aAw）・・・プリンタＡの紙白のL*a*b*
Lab#abs#B#white＝（L#aBw、a#aBw、b#aBw）・・・基準となる色のL*a*b*（プリンタＢの紙白のL*a*b*）
次に、プリンタＡの色変換用色特性情報を算出するための重み付け計算に用いるウエイト（以降、Ｗ）を（４）式に従い算出する。なお、Ｗは1.0を越えた場合は1.0とする。すなわち、ここではプリンタＡの紙白ではＷ＝0.0、プリンタＡの紙白から色差Ｅの５倍以上の距離の範囲がＷ＝1.0とした。尚、プリンタＡの紙白からの色差Ｅの距離については、好適な値を任意に決められる。
【００３４】
【数４】
2005079620.tif 000006
ここで、
Lab#rel#A＝（L#rA、a#rA、b#rA）・・・プリンタＡの相対的色特性情報のL*a*b*
Lab#abs#B#white＝（L#aBw、a#aBw、b#aBw）・・・プリンタＢの紙白のL*a*b*
続いて、Ｗ及びLab#rel#A及びLab#abs#Aを用いて色変換用色特性情報（以降、Lab#relabs#A）を（５）式に従い算出する。
【００３５】
【数５】
2005079620.tif 000007
ここで、
Lab#relabs#A＝（L#raA、a#raA、b#raA）・・・プリンタＡの色変換用色特性情報のL*a*b*
Lab#rel#A＝（L#rA、a#rA、b#rA）・・・プリンタＡの相対的色特性情報のL*a*b*
Lab#abs#A＝（L#aA、a#aA、b#aA）・・・プリンタＡの絶対的色特性情報のL*a*b*
手順４−２）プリンタＢの色変換用特性情報の算出
プリンタＢの紙白の絶対的ＸＹＺは基準となる色の絶対的ＸＹＺと等しく、相対的色特性情報と絶対的色特性情報が等しいことから、（６）式に示すように、プリンタＡの色変換用色特性情報（以降、Lab#relabs#B）は相対的色特性情報（すなわち絶対的色特性情報）と等しくなる。
【００３６】
【数６】
2005079620.tif 000008
ここで、
Lab#relabs#B＝（L#raB、a#raB、b#raB）・・・プリンタＢの色変換用色特性情報のL*a*b*
Lab#rel#B＝（L#rB、a#rB、b#rB）・・・プリンタＢの相対的色特性情報のL*a*b*
手順５）デバイスプロファイルの作成（フローチャートのＳ６）
プリンタＡのデバイスプロファイルとして、Lab#relabs#Aを用いて既知の手段又は方法によりデバイスプロファイル（以降、profile#A）を作成する。また、プリンタＢのデバイスプロファイルとして、Lab#relabs#Bを用いて既知の手段又は方法によりデバイスプロファイル（以降、profile#B）を作成する。
【００３７】
手順６）画像変換（フローチャートのＳ７〜Ｓ８）
データ入力装置に入力された画像データを取得し、profile#Aを再現元プロファイル、profile#Bを再現先プロファイルとして画像データの色変換を行う。
【００３８】
以上、本発明の一実施形態を説明したが、その他に下記のような変形例が考えられる。
【００３９】
本実施例ではXYZ、L*a*b*を用いたが、これ以外の色空間を用いても良い。
【００４０】
また、本実施例ではデバイスの色特性情報を取得するためにIT8/7を使用したが、これ以外のチャートを用いても良い。
【００４１】
また、本実施例ではデバイスの色特性情報を取得するためにチャートを出力し、測色を行ったが、デバイスプロファイルから色特性情報を取得しても良い。
【００４２】
また、本実施例では基準となる色をカラーマッチングの再現先となる画像出力装置の白としたが、例えばＤ５０等の基準照明下における完全拡散板を測定した際の色彩値等、他の色を用いても良い。
【００４３】
また、絶対的色特性情報を相対的色特性情報へ変換する際に、例えばフォン・クリースやＣＩＥの色順応予測式を使用する等、他の方法を用いても良い。
【００４４】
また、色変換用色特性情報を算出するための相対的色特性情報と絶対的色特性情報の重み付け計算のためのウエイトを求める際に、本実施例で使用した色差以外に、例えば彩度差や明度差等、色の違いを表すどのような尺度を用いても良い。
【産業上の利用可能性】
【００４５】
本発明は、白の異なる画像出力装置のカラーマッチングを行い、その結果を隣り合わせで観察した際に好適なマッチングを実現するデバイスプロファイル作成方法及びその装置、また、デバイスリンクプロファイル作成方法及びその装置、さらに色変換方法及びその装置に関する。
【図面の簡単な説明】
【００４６】
【図１】本発明の色変換装置の一実施形態を表す機能ブロック図である。
【図２】本発明の色変換装置の別の実施形態を表す機能ブロック図である。
【図３】本発明の色変換装置の一実施形態を示す構成概略図である。
【図４】本発明の色変換方法の一実施形態の流れを示すフローチャートである。
【符号の説明】
【００４７】
１・・・絶対的色特性情報取得手段
２・・・相対的色特性情報算出手段
３・・・色変換用色特性情報算出手段
４・・・デバイスプロファイル作成手段
５・・・データ入力手段
６・・・色変換手段
１１・・・色変換部
１２・・・プリンタＡ
１３・・・プリンタＢ
１４・・・測色部
１５・・・データ入力部
２１・・・絶対的色特性情報取得手段
２２・・・相対的色特性情報算出手段
２３・・・色変換用色特性情報算出手段
２４・・・デバイスリンクプロファイル作成手段
２５・・・データ入力手段
２６・・・色変換手段
【図１】
2005079620.tif 000009
【図２】
2005079620.tif 000010
【図３】
2005079620.tif 000011
【図４】
2005079620.tif 000012
【手続補正書】
【提出日】平成15年9月17日(2003.9.17)
【手続補正１】
【補正対象書類名】明細書
【補正対象項目名】全文
【補正方法】変更
【補正の内容】
【発明の詳細な説明】
【技術分野】
【０００１】
本発明は、白の異なる画像出力装置のカラーマッチングを行い、その結果を隣り合わせで観察した際に好適なマッチングを実現するデバイスプロファイル作成装置及び作成方法、また、デバイスリンクプロファイル作成装置及び作成方法、並びに色変換装置及び色変換方法に関する。
【背景技術】
【０００２】
異なる画像出力装置のカラーマッチングを行う際は、通常、ＸＹＺ等の色彩値でマッチング行う。通常測色器を用いて得られる色彩値は、Ｄ５０等の基準照明下における完全拡散板を測定した際の色彩値（基準照明Ｄ５０の場合（X,Y,Z）＝（96.42,100.0,82.49））を白とし、その白に対する相対的な値として算出される。ＣＩＥ（Commission International De L'eclairage）では測光量を表す値を「絶対的」、完全拡散板に対し相対的な値は「相対的」であると定義している。一方、今日のカラーマネジメントにおけるデファクトスタンダードであるＩＣＣプロファイルフォーマット（International Color Consortiumで提唱されたフォーマット仕様）では、完全拡散板に対し相対的な値は画像出力装置の白に対しては絶対的な値となることから「絶対的」、画像出力装置の白に対して相対的な値が「相対的」であると定義している。以降、本特許ではＩＣＣの定義に従い、測色器から得られた完全拡散板の白に対する相対的な色彩値を絶対的色彩値と呼ぶ。
【０００３】
この絶対的色彩値を用いて再現元である画像出力装置の色を再現先である画像出力装置の色へ変換するカラーマッチングを行うと、再現元画像出力装置の白の色味が再現先画像出力装置に再現される。すなわち、再現元画像出力装置の白の絶対的色彩値が再現先画像出力装置の色域内に存在する場合、再現先画像出力装置の白に色を加えて再現元画像出力装置の白が再現される。以降、この絶対的色彩値を用いた色変換を絶対的色変換と呼ぶ。
【０００４】
ＩＣＣプロファイルでは、絶対的色彩値を更に画像出力装置の白に対して相対的な色彩値に変換してデバイスプロファイルのテーブルで使用する。この値を用いることにより、色変換に置いて異なる画像出力装置の白は同じ色彩値（基準照明Ｄ５０の場合（X,Y,Z）＝（96.42,100.0,82.49））を持つこととなる。
以降本発明ではＩＣＣの定義に従い、画像出力装置の白の色彩値に対して相対的な色彩値を相対的色彩値と呼ぶ。この相対的色彩値を用いて再現元画像出力装置の色を再現先画像出力装置の色へ変換するカラーマッチングを行う場合、再現元画像出力装置の白は再現先画像出力装置の白として再現される。以降、この相対的色彩値を用いた色変換を相対的色変換と呼ぶ。
【０００５】
しかし、これらの方法で白の異なる画像出力装置のカラーマッチングを行うと、再現元画像出力装置で出力されるカラーマッチングのターゲット（以降ターゲット）と、再現先画像出力装置で出力されるカラーマッチングの結果（以降マッチング結果）を隣り合わせで観察した際に問題が生じる。相対的色変換でカラーマッチングを行うと、白の色みに差がある場合、マッチング結果がターゲットに対し全体的に再現先画像出力装置の白の色みに偏った再現となるため、ターゲットとマッチング結果を隣り合わせで観察すると色が合って見えないという問題が生じる。
【０００６】
一方、絶対的色変換でカラーマッチングを行うと、隣り合わせで観察すると全体の色は合って見えるものの、マッチング結果の白に色が付いているため、出力方式によっては粒状感等の問題で見た目で満足できない結果となる場合がある。また、再現先画像出力装置の白が再現元画像出力装置の白よりも暗い等、再現元画像出力装置の白が再現先画像出力装置の色域内に包括されていない場合、マッチング結果の白付近で潰れが発生する、又は異なった色に変換されるという問題が生じる。
【０００７】
以上のような現象の代表的な事例として、印刷用紙の違いが元で再現される色が変化してしまうといったことが挙げられる。これに対して、その計測された用紙間の色差に応じた色補正を行う技術が開示されている。（例えば、特許文献１を参照）。この技術では、紙白を活かすことができるが、全ての画素について同じ差の補正を行っているため、画像によっては色味の合わないところが出たり、潰れやトーンジャンプが発生してしまう場合があった。
【０００８】
【特許文献１】特開平１０−３４１３４８号公報
【発明の開示】
【発明が解決しようとする課題】
【０００９】
本発明は、前記従来技術の問題点を解決するために成されたもので、白の異なる画像出力装置のカラーマッチングを行いターゲットとマッチング結果を隣り合わせで観察した際に好適なマッチングとなるデバイスプロファイル作成装置及び作成方法、デバイスリンクプロファイル作成装置及び作成方法、色変換装置及び色変換方法を提供することである。
【課題を解決するための手段】
【００１０】
本発明は上記課題を実現するためになされたものであって、請求項１記載の発明は、
画像出力装置のデバイスプロファイルを作成するデバイスプロファイル作成装置において、
画像出力装置の、任意の色空間における絶対的な色の特性を表す絶対的色特性情報を取得する絶対的色特性情報取得手段と、
前記絶対的色特性情報取得手段によって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出手段と、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した画像出力装置の色変換用色特性情報を用いてデバイスプロファイルを作成するデバイスプロファイル作成手段と、
を含むデバイスプロファイル作成装置である。
【００１１】
また、請求項２記載の発明は、第１の画像出力装置の色から第２の画像出力装置の色へ変換を行うためのデバイスリンクプロファイルを作成するデバイスリンクプロファイル作成装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
前記色変換用色特性情報算出手段によって算出した第１及び第２の画像出力装置の色変換用色特性情報を用いて、デバイスリンクプロファイルを作成するデバイスリンクプロファイル作成手段と、
を含むデバイスリンクプロファイル作成装置である。
【００１２】
また、請求項３記載の発明は、画像データの第１の画像出力装置において出力される色を、第２の画像出力装置において再現するよう画像データの色変換を行う色変換装置において、
第１及び第２の画像出力装置の、任意の色空間における絶対的な色の特性を表す絶対的色特性情報を取得する絶対的色特性情報取得手段と、
前記絶対的色特性情報取得手段によって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出手段と、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出手段と、
画像データの入力を行うデータ入力手段と、
前記色変換用色特性情報算出手段によって算出した第１及び第２の画像出力装置の色変換用色特性情報を用いて、該画像データの色変換を行う色変換手段と、
を含む色変換装置である。
【００１３】
また、請求項４記載の発明は、第１の画像出力装置において出力される画像データの色を、第２の画像出力装置において再現するよう画像データの色変換を行う色変換装置において、
画像データの入力を行うデータ入力手段と、
第１及び第２の画像出力装置のデバイスプロファイルを用いて色変換する色変換手段と、
を含み、前記色変換手段に使われるデバイスプロファイルが、請求項１のデバイスプロファイル作成装置で作成されたデバイスプロファイルである色変換装置である。
【００１４】
また、請求項５記載の発明は、第１の画像出力装置において出力される画像データの色を、第２の画像出力装置において再現するよう画像データの色変換を行う色変換装置において、
画像データの入力を行うデータ入力手段と、
第１の画像出力装置の色から第２の画像出力装置の色へ変換を行うためのデバイスリンクプロファイルを用いて色変換する色変換手段と、
を含み、前記色変換手段に使われるデバイスリンクプロファイルが、請求項２のデバイスリンクプロファイル作成装置で作成されたデバイスリンクプロファイルである色変換装置である。
【００１５】
また、請求項６記載の発明は、画像出力装置のデバイスプロファイルを作成するデバイスプロファイル作成方法であって、
画像出力装置の、任意の色空間における絶対的な色の特性を表す絶対的色特性情報を取得する絶対的色特性情報取得ステップと、
前記絶対的色特性情報取得ステップによって取得した画像出力装置の絶対的色特性情報において白を表す値を、前記色空間内に任意に定めた基準となる色を表す値になるように、絶対的色特性情報を変換し、該基準となる色に対して、前記画像出力装置の絶対的色特性情報から相対的色特性情報を求める相対的色特性情報算出ステップと、
前記絶対的色特性情報と前記相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出手段によって算出した画像出力装置の色変換用色特性情報を用いてデバイスプロファイルを作成するデバイスプロファイル作成ステップと、
を含むデバイスプロファイル作成方法である。
【００１６】
また、請求項７記載の発明は、第１の画像出力装置の色から第２の画像出力装置の色へ変換を行うためのデバイスリンクプロファイルを作成するデバイスリンクプロファイル作成方法であって、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
前記色変換用色特性情報算出ステップによって算出した第１及び第２の画像出力装置の色変換用色特性情報を用いて、デバイスリンクプロファイルを作成するデバイスリンクプロファイル作成ステップと、
を含むデバイスリンクプロファイル作成方法である。
【００１７】
また、請求項８記載の発明は、画像データの第１の画像出力装置において出力される色を、第２の画像出力装置において再現するよう画像データの色変換を行う色変換方法において、
第１及び第２の画像出力装置の、任意の色空間における絶対的な色の特性を表す絶対的色特性情報を取得する絶対的色特性情報取得ステップと、
前記絶対的色特性情報取得ステップによって取得した第１及び第２の画像出力装置の絶対的色特性情報において白を表す値を、両者とも前記色空間内に任意に定めた基準となる色を表す値になるように、第１及び第２の画像出力装置の絶対的色特性情報を変換し、該基準となる色に対して、第１及び第２の画像出力装置の絶対的色特性情報から相対的色特性情報を求める相対的色特性情報算出ステップと、
第１及び第２の画像出力装置それぞれに対し、絶対的色特性情報と相対的色特性情報を用いて、色変換に用いる色変換用色特性情報を求める際に、該基準となる色の相対的色特性情報と他の色の相対的色特性情報との違いが小さいほど相対的色特性情報の重みを大きくし、違いが大きいほど絶対的色特性情報の重みを大きくして、色変換用色特性情報を算出する色変換用色特性情報算出ステップと、
画像データの入力を行うデータ入力ステップと、
前記色変換用色特性情報算出ステップによって算出した第１及び第２の画像出力装置の色変換用色特性情報を用いて、該画像データの色変換を行う色変換ステップと、
を含む色変換方法である。
【００１８】
また、請求項９記載の発明は、第１の画像出力装置において出力される画像データの色を、第２の画像出力装置において再現するよう画像データの色変換を行う色変換方法において、
画像データの入力を行うデータ入力ステップと、
第１及び第２の画像出力装置のデバイスプロファイルを用いて色変換する色変換ステップと、
を含み、前記色変換ステップに使われるデバイスプロファイルが、請求項６のデバイスプロファイル作成方法で作成されたデバイスプロファイルである色変換方法である。
【００１９】
また、請求項１０記載の発明は、第１の画像出力装置において出力される画像データの色を、第２の画像出力装置において再現するよう画像データの色変換を行う色変換方法において、
画像データの入力を行うデータ入力ステップと、
第１の画像出力装置の色から第２の画像出力装置の色へ変換を行うためのデバイスリンクプロファイルを用いて色変換する色変換ステップと、
を含み、前記色変換ステップに使われるデバイスリンクプロファイルが、請求項７のデバイスリンクプロファイル作成方法で作成されたデバイスリンクプロファイルである色変換方法である。
【発明の効果】
【００２０】
本発明によれば、色変換に用いる色変換用色特性情報を算出する際に、基準となる色の相対的色特性情報と他の色の相対的色特性情報との違いが小さいほど相対的色特性情報の重みを大きくし、違いが大きいほど絶対的色特性情報の重みを大きくしているため、白の異なる画像出力装置のカラーマッチングを行いターゲットとマッチング結果を隣り合わせで観察した際に、白を活かしながらも、画像の色の見えも合い、トーンジャンプも発生しないといった好適なマッチングとなるデバイスプロファイル作成装置及び作成方法、デバイスリンクプロファイル作成装置及び作成方法、色変換装置及び色変換方法を提供できる。
【発明を実施するための最良の形態】
【００２１】
以下に、本発明の代表的な一実施形態を挙げ、また図面を用いることにより、本発明をより詳細に説明する。図１は本発明の色変換装置の一実施形態を表す機能ブロック図である。
絶対的色特性情報取得手段１によってカラーマッチングの再現元となる画像出力装置及び再現先となる画像出力装置の絶対的色特性情報を取得する。相対的色特性情報算出手段２によって再現元画像出力装置及び再現先画像出力装置それぞれにおいて絶対的色特性情報から相対的色特性情報を算出する。色変換用色特性情報算出手段３によって再現元画像出力装置及び再現先画像出力装置それぞれにおいて絶対的色特性情報及び相対的色特性情報から色変換用色特性情報を算出する。デバイスプロファイル作成手段４によって色変換用色特性情報を用いてデバイスプロファイルを作成する。データ入力手段５によって色変換を行う画像を入力する。色変換手段６によって、再現元画像出力装置及び再現先画像出力装置それぞれのデバイスプロファイルを使って、画像データの色変換を行う。
【００２２】
ここではデバイスプロファイルを用いた色変換装置について述べたが、デバイス間専用のプロファイルであるデバイスリンクプロファイルについては、図２に示すような機能ブロック図となる。
また、以上のようなプロファイルを作らずに、色変換用色特性情報を色変換する毎に作成することも可能である。
【００２３】
図２は本発明の色変換装置の一実施形態を示す構成概略図である。本実施形態の色変換装置は、絶対的色特性情報取得手段、相対的色特性情報算出手段、色変換用色特性情報算出手段、デバイスプロファイル作成手段、色変換手段を有する色変換部１１と、カラーマッチングの再現元となる画像出力装置であるプリンタＡ１２と、カラーマッチングの再現先となる画像出力装置であるプリンタＢ１３と、プリンタＡ１２及びプリンタＢ１３より出力されたチャートを測色する測色部１４と、画像データが入力されるデータ入力部１５から構成される。
【００２４】
ここで、デバイスプロファイルやデバイスリンクプロファイルを外部から取得する場合は、色変換部１１とデータ入力部１５のみの構成も可能である。
【００２５】
次に本実施形態の処理を図３のフローに基づいて説明する。
手順１）画像出力装置の絶対的色特性情報の取得（フローチャートのＳ１〜Ｓ２）
プリンタＡ及びプリンタＢより、デバイスの色特性情報を取得するためにIT8/7.3チャート（ISO12642）を出力する。次に、プリンタＡ及びプリンタＢで出力したIT8/7.3チャートを測色装置で測定し、プリンタＡの色特性を表す絶対的なＸＹＺ（以降、XYZ_abs_A）及びプリンタＢの色特性を表す絶対的なＸＹＺ（以降、XYZ_abs_B）を求める。
【００２６】
手順２）絶対的色特性情報を相対的色特性情報へ変換（フローチャートのＳ３）
プリンタＢの紙白を表す絶対的なＸＹＺ（XYZ_abs_B_white）を基準となる色として、XYZ_abs_Aを（１）式に従い基準となる色に対して相対的な色特性情報（以降、XYZ_rel_A）に変換する。
【００２７】
【数１】
2005079620.tif 000013
【００２８】
ここで、
XYZ_rel_A＝（X_rA、Y_rA、Z_rA）・・・プリンタＡの相対的色特性情報
XYZ_abs_A＝（X_aA、Y_aA、Z_aA）・・・プリンタＡの絶対的色特性情報
XYZ_abs_A_white＝（X_aAw、Y_aAw、Z_aAw）・・・プリンタＡの紙白の絶対的色彩値
XYZ_abs_B_white＝（X_aBw、Y_aBw、Z_aBw）・・・基準となる色（プリンタＢの紙白の絶対的色彩値）
【００２９】
プリンタＢの相対的色特性情報は、基準となる色が紙白の絶対的色彩値と等しいため、（２）式に示すように絶対的色特性情報と等しくなる。
【００３０】
【数２】
2005079620.tif 000014
【００３１】
ここで、
XYZ_rel_B＝（X_rB、Y_rB、Z_rB）・・・プリンタＡの相対的色特性情報
XYZ_abs_B＝（X_aB、Y_aB、Z_aB）・・・プリンタＡの絶対的色特性情報
【００３２】
手順３）XYZからL*a*b*への変換（フローチャートのＳ４）
XYZ_abs_Aを、完全拡散板を測定した際の色彩値を（L*,a*,b*）＝（100,0,0）としたL*a*b*（以降、Lab_abs_A）に変換する。また、XYZ_rel_Aを、完全拡散板を測定した際の色彩値を（L*,a*,b*）＝（100,0,0）としたL*a*b*（以降、Lab_rel_A）に変換する。また、XYZ_rel_Bを、完全拡散板を測定した際の色彩値を（L*,a*,b*）＝（100,0,0）としたL*a*b*（以降、Lab_rel_B）に変換する。
【００３３】
手順４）色変換用特性情報の算出（フローチャートのＳ５）
手順４−１）プリンタＡの色変換用特性情報の算出
プリンタＡの紙白の絶対的ＸＹＺと基準となる色の絶対的ＸＹＺ（プリンタＢの紙白の絶対的ＸＹＺ）から、完全拡散板を測定した際のL*a*b*を（L*,a*,b*）＝（100,0,0）としたプリンタＡの紙白のL*a*b*（以降、Lab_abs_A_white）と基準となる色、すなわちプリンタＢの紙白のL*a*b*（以降、Lab_abs_B_white）の色差Ｅを（３）式に従い求める。
【００３４】
【数３】
2005079620.tif 000015
【００３５】
ここで、
Lab_abs_A_white＝（L_aAw、a_aAw、b_aAw）・・・プリンタＡの紙白のL*a*b*
Lab_abs_B_white＝（L_aBw、a_aBw、b_aBw）・・・基準となる色のL*a*b*（プリンタＢの紙白のL*a*b*）
【００３６】
次に、プリンタＡの色変換用色特性情報を算出するための重み付け計算に用いるウエイト（以降、Ｗ）を（４）式に従い算出する。なお、Ｗは1.0を越えた場合は1.0とする。すなわち、ここではプリンタＡの紙白ではＷ＝0.0、プリンタＡの紙白から色差Ｅの５倍以上の距離の範囲がＷ＝1.0とした。尚、プリンタＡの紙白からの色差Ｅの距離については、好適な値を任意に決められる。
【００３７】
【数４】
2005079620.tif 000016
【００３８】
ここで、
Lab_rel_A＝（L_rA、a_rA、b_rA）・・・プリンタＡの相対的色特性情報のL*a*b*
Lab_abs_B_white＝（L_aBw、a_aBw、b_aBw）・・・プリンタＢの紙白のL*a*b*
【００３９】
続いて、Ｗ及びLab_rel_A及びLab_abs_Aを用いて色変換用色特性情報（以降、Lab_relabs_A）を（５）式に従い算出する。
【００４０】
【数５】
2005079620.tif 000017
【００４１】
ここで、
Lab_relabs_A＝（L_raA、a_raA、b_raA）・・・プリンタＡの色変換用色特性情報のL*a*b*
Lab_rel_A＝（L_rA、a_rA、b_rA）・・・プリンタＡの相対的色特性情報のL*a*b*
Lab_abs_A＝（L_aA、a_aA、b_aA）・・・プリンタＡの絶対的色特性情報のL*a*b*
【００４２】
手順４−２）プリンタＢの色変換用特性情報の算出
プリンタＢの紙白の絶対的ＸＹＺは基準となる色の絶対的ＸＹＺと等しく、相対的色特性情報と絶対的色特性情報が等しいことから、（６）式に示すように、プリンタＡの色変換用色特性情報（以降、Lab_relabs_B）は相対的色特性情報（すなわち絶対的色特性情報）と等しくなる。
【００４３】
【数６】
2005079620.tif 000018
【００４４】
ここで、
Lab_relabs_B＝（L_raB、a_raB、b_raB）・・・プリンタＢの色変換用色特性情報のL*a*b*
Lab_rel_B＝（L_rB、a_rB、b_rB）・・・プリンタＢの相対的色特性情報のL*a*b*
【００４５】
手順５）デバイスプロファイルの作成（フローチャートのＳ６）
プリンタＡのデバイスプロファイルとして、Lab_relabs_Aを用いて既知の手段又は方法によりデバイスプロファイル（以降、profile_A）を作成する。また、プリンタＢのデバイスプロファイルとして、Lab_relabs_Bを用いて既知の手段又は方法によりデバイスプロファイル（以降、profile_B）を作成する。
【００４６】
手順６）画像変換（フローチャートのＳ７〜Ｓ８）
データ入力装置に入力された画像データを取得し、profile_Aを再現元プロファイル、profile_Bを再現先プロファイルとして画像データの色変換を行う。
【００４７】
以上、本発明の一実施形態を説明したが、その他に下記のような変形例が考えられる。
本実施例ではXYZ、L*a*b*を用いたが、これ以外の色空間を用いても良い。
また、本実施例ではデバイスの色特性情報を取得するためにIT8/7を使用したが、これ以外のチャートを用いても良い。
また、本実施例ではデバイスの色特性情報を取得するためにチャートを出力し、測色を行ったが、デバイスプロファイルから色特性情報を取得しても良い。
また、本実施例では基準となる色をカラーマッチングの再現先となる画像出力装置の白としたが、例えばＤ５０等の基準照明下における完全拡散板を測定した際の色彩値等、他の色を用いても良い。
また、絶対的色特性情報を相対的色特性情報へ変換する際に、例えばフォン・クリースやＣＩＥの色順応予測式を使用する等、他の方法を用いても良い。
また、色変換用色特性情報を算出するための相対的色特性情報と絶対的色特性情報の重み付け計算のためのウエイトを求める際に、本実施例で使用した色差以外に、例えば彩度差や明度差等、色の違いを表すどのような尺度を用いても良い。
【産業上の利用可能性】
【００４８】
本発明は、白の異なる画像出力装置のカラーマッチングを行い、その結果を隣り合わせで観察した際に好適なマッチングを実現するデバイスプロファイル作成方法及びその装置、また、デバイスリンクプロファイル作成方法及びその装置、さらに色変換方法及びその装置に関する。
【図面の簡単な説明】
【００４９】
【図１】本発明の色変換装置の一実施形態を表す機能ブロック図である。
【図２】本発明の色変換装置の別の実施形態を表す機能ブロック図である。
【図３】本発明の色変換装置の一実施形態を示す構成概略図である。
【図４】本発明の色変換方法の一実施形態の流れを示すフローチャートである。
【符号の説明】
【００５０】
１・・・絶対的色特性情報取得手段
２・・・相対的色特性情報算出手段
３・・・色変換用色特性情報算出手段
４・・・デバイスプロファイル作成手段
５・・・データ入力手段
６・・・色変換手段
１１・・・色変換部
１２・・・プリンタＡ
１３・・・プリンタＢ
１４・・・測色部
１５・・・データ入力部
２１・・・絶対的色特性情報取得手段
２２・・・相対的色特性情報算出手段
２３・・・色変換用色特性情報算出手段
２４・・・デバイスリンクプロファイル作成手段
２５・・・データ入力手段
２６・・・色変換手段